(57)【要約】【課題】同軸ケーブルを接続した状態で、コネクタ本体とケーブル接続部カバーとの接続、組立状態を安定して保持することができて、接続性能、シールド性能を向上させる。【解決手段】ケーブル接続部カバー２００  を、その相手方コネクタとの嵌合、接続側に向く開口端部分に、複数箇所、長手方向に設定寸法だけ伸びるすり割り状のスリット２１１  を形成して、これらスリットの形成部分を、その長手方向と直交する断面積が、開口端に近づく程小さくなるように曲げ加工し、この開口端部分で、コネクタ本体１００  の外部導体シェル１２０  を挟持するように形成する。この開口端が、コネクタ本体１００  の外部導体シェル１２０  の、つば状部１２３  に当接する構造とする。【選択図】        図１
2004186057.tif 000002
【特許請求の範囲】
【請求項１】
同軸ケーブルの先端部分に取付けられて、相手方コネクタと嵌合、接続する同軸コネクタであって、次の各構成を有することを特徴とする同軸コネクタ。
（イ）  中心コンタクトと、この中心コンタクトを中心軸としてその周囲を覆う外部導体シェルと、前記中心コンタクトと前記外部導体シェルとの間に介在してこれら相互間を保持固定するインシュレータと、を備えて成り、その一方の端側が前記相手方コネクタと嵌合、接続し、他方の端側に前記同軸ケーブルが接続される構造を成して、前記外部導体シェルの、前記同軸ケーブルが接続される側に、前記中心コンタクトへの前記同軸ケーブルの中心導体半田付け作業用のソルダウインドーと、前記同軸ケーブルの外部導体接続用の、外部導体接続部と、が形成されたコネクタ本体
（ロ）  前記コネクタ本体に前記同軸ケーブルが接続された状態で、この同軸ケーブルが接続されている部分全体を包囲し、かつその、前方の開口端部分が、前記コネクタ本体の外部導体シェルを、その周囲から弾性挟持する、筒状の弾性導電性部材によるケーブル接続部カバー
【請求項２】
前記ケーブル接続部カバーは、その前方の開口端部分に複数箇所、長手方向に設定寸法だけ伸びるすり割り状のスリットを形成し、これらスリットの形成部分を、その長手方向と直交する断面積が、前記開口端に近づくほど小さくなるように加工して成る構造である、請求項１記載の同軸コネクタ。
【請求項３】
請求項１又は請求項２に記載の同軸コネクタにおける、コネクタ本体は、その外部導体シェルの、相手方コネクタとの嵌合、接続側と、同軸ケーブルが接続される側と、の境界部分に、つば状に突出するつば状部が形成された構造であり、ケーブル接続部カバーは、その開口端が前記つば状部に当接する構造である、同軸コネクタ。
【発明の詳細な説明】
【０００１】
【発明の属する技術分野】
本発明は同軸コネクタに関し、特に同軸ケーブルの先端部分に取付けられて相手方コネクタと嵌合、接続する同軸コネクタに属する。
【０００２】
【従来の技術】
同軸ケーブルの先端部分に取付けられて、相手方コネクタと嵌合し、接続する同軸コネクタの中には、その同軸ケーブルの接続部分が、外部導体シェルに小窓を明けて、この小窓を利用して同軸ケーブルの中心導体を中心コンタクトに半田付け接続する構造のものがあり、また、同軸ケーブルの外部導体は上述の外部導体シェルに接続される。このような構造の場合、前述の小窓の部分や同軸ケーブルの外部導体接続部分をその上から覆う、ケーブル接続部カバーを設けて、その部分を保護し、かつシールドするのが通例である。
このような、ケーブル接続部カバー付きの同軸コネクタの、従来の一例を図３及び図４に示す。
【０００３】
この同軸コネクタは、コネクタ本体１００と、ケーブル接続部カバー２００ｘとを含んで構成され、これらの詳細は次のとおりである。
まず、コネクタ本体１００は、中心コンタクト１１０と、この中心コンタクト１１０を中心軸としてその周囲を覆う外部導体シェル１２０と、中心コンタクト１１０と外部導体シェル１２０との間に介在してこれら相互間を保持固定するインシュレータ１３０と、を備えて成り、その一方の端側が相手方コネクタと嵌合、接続する嵌合接続部１４０であり、他方の端側が、同軸ケーブル５００が接続される同軸ケーブル接続部１５０である構成を成して、中心コンタクト１１０の、同軸ケーブル接続部１５０側の端には中心導体半田付接続部１１１が形成され、外部導体シェル１２０の、中心導体半田付接続１１１と対応する部位にはソルダウインドー１２１が形成され、また、この部分から同軸ケーブル接続部１５０の端までの間には、外部導体接続部１２２が形成されている。
【０００４】
このソルダウインドー１２１は、中心コンタクト１１０の中心導体半田付接続部１１１に同軸ケーブル５００の中心導体５１０を半田付け作業する際に利用され、外部導体接続部１２２には、同軸ケーブル５００の外部導体５２０が接続される。また外部導体シェル１２０の、嵌合接続部１４０と同軸ケーブル接続部１５０との境界部分には、つば状に突出する、つば状部１２３が形成されている。
【０００５】
次に、ケーブル接続部カバー２００ｘは、コネクタ本体１００に同軸ケーブル５００が接続されている状態で、コネクタ本体１００の同軸ケーブル接続部１５０全体を包囲して、ソルダウインドー１２１の周囲や、同軸ケーブル５００の外部導体５２０が接続されている外部導体接続部１２２の周囲を覆うように、円筒形の導電性部材で形成され、ソルダウインドーカバー部２１０ｘと、外部導体接続カバー部２２０ｘと、を含む構成、構造となっている。
【０００６】
なお、同軸ケーブル５００の外部導体５２０の、外部導体接続部１２２への接続、及び外部導体接続カバー部２２０ｘとの接続は、半田付けによる方法や、圧着による方法などがある。
【０００７】
この従来の同軸コネクタでは、ケーブル接続部カバー２００ｘが、外部導体シェル１２０の形状に合わせて、また、接続、組立作業を容易にするために、外部導体接続カバー部２２０ｘに比べてソルダウインドーカバー部２１０ｘの方を、その直径を大きくしていてその境界部分に段差があり、その各部はストレートな円筒状となっている。そのため、外部導体シェル１２０とソルダウインドーカバー部２１０ｘとの間には隙間ｄ１があり、また、ソルダウインドーカバー部２１０ｘの開口端とつば状部１２３との間にも、隙間ｄ２があった。
【０００８】
【発明が解決しようとする課題】
上述した従来の同軸コネクタは、ケーブル接続部カバー２００ｘが、コネクタ本体１００の、外部導体シェル１２０の形状に合わせて、また、接続、組立作業を容易にするために、その外部導体接続カバー部２２０ｘの直径を、そのソルダウインドーカバー部２１０ｘの直径より大きくしており、その境界部分に段差がある、各部ストレートな円筒状の形状、構造となっていて、コネクタ本体１００の外部導体シェル１２０と、ソルダウインドーカバー部２１０ｘとの間に隙間ｄ１があり、また外部導体シェル１２０のつば状部１２３と、ソルダウインドーカバー部２１０ｘの開口端との間にも隙間ｄ２があるので、コネクタ本体１００とケーブル接続部カバー２００ｘとの間でがたつきが生じ、その間の接続状態、組立状態が不安定になって、接続性能及びシールド性能が低下し、また、組立作業性も低下してしまう、という問題点がある。
【０００９】
本発明の目的は、上記従来技術の問題点に鑑みて、接続、組立状態が安定して接続性能、シールド性能が向上し、かつ組立作業も容易となる同軸コネクタを提供することにある。
【００１０】
【課題を解決するための手段】
本発明の同軸コネクタは、同軸ケーブルの先端部分に取付けられて、相手方コネクタと嵌合、接続する同軸コネクタであって、次の各構成を有することを特徴とする。
（イ）  中心コンタクトと、この中心コンタクトを中心軸としてその周囲を覆う外部導体シェルと、前記中心コンタクトと前記外部導体シェルとの間に介在してこれら相互間を保持固定するインシュレータと、を備えて成り、その一方の端側が前記相手方コネクタと嵌合、接続し、他方の端側に前記同軸ケーブルが接続される構造を成して、前記外部導体シェルの、前記同軸ケーブルが接続される側に、前記中心コンタクトへの前記同軸ケーブルの中心導体半田付け作業用のソルダウインドーと、前記同軸ケーブルの外部導体接続用の、外部導体接続部と、が形成されたコネクタ本体
（ロ）  前記コネクタ本体に前記同軸ケーブルが接続された状態で、この同軸ケーブルが接続されている部分全体を包囲し、かつその、前方の開口端部分が、前記コネクタ本体の外部導体シェルを、その周囲から弾性挟持する、筒状の弾性導電性部材によるケーブル接続部カバー
【００１１】
また、前記ケーブル接続部カバーは、その前方の開口端部分に複数箇所、長手方向に設定寸法だけ伸びるすり割り状のスリットを形成し、これらスリットの形成部分を、その長手方向と直交する断面積が、前記開口端に近づくほど小さくなるように加工して成る構造である構成を有している。
【００１２】
また、前記同軸コネクタにおける、コネクタ本体は、その外部導体シェルの、相手方コネクタとの嵌合、接続側と、同軸ケーブルが接続される側と、の境界部分に、つば状に突出するつば状部が形成された構造であり、ケーブル接続部カバーは、その開口端が前記つば状部に当接する構造である、構成を有している。
【００１３】
【発明の実施の形態】
本発明の一実施の形態は、コネクタ本体と、ケーブル接続部カバーと、を有して構成され、これらの詳細は次のとおりである。
コネクタ本体は、中心コンタクトと、この中心コンタクトを中心軸としてその周囲を覆う外部導体シェルと、上記中心コンタクトと上記外部導体シェルとの間に介在してこれら相互間を保持固定するインシュレータと、を備えて成り、その一方の端側が相手方コネクタと嵌合、接続し、他方の端側に同軸ケーブルが接続される構造を成して、上記外部導体シェルの、上記同軸ケーブルが接続される側に、上記中心コンタクトへの上記同軸ケーブルの中心導体半田付け作業用のソルダウインドーと、上記同軸ケーブルの外部導体接続用の、外部導体接続部と、が形成されている。
【００１４】
ケーブル接続部カバーは、コネクタ本体に前記同軸ケーブルが接続された状態で、この同軸ケーブルが接続されている部分全体を包囲し、かつその、前方の開口端部分が、前記コネクタ本体の外部導体シェルを、その周囲から弾性挟持するように、筒状の弾性導電性部材で形成される。
【００１５】
また、上記ケーブル接続部カバーは、その前方の開口端部分に複数箇所、長手方向に設定寸法だけ伸びるすり割り状のスリットを形成し、これらスリットの形成部分を、その長手方向と直交する断面積が、上記開口端に近づくほど小さくなるように加工して成る構造であり、更に、上記コネクタ本体は、その外部導体シェルの、相手方コネクタとの嵌合、接続側と、同軸ケーブルが接続される側と、の境界部分に、つば状に突出するつば状部が形成された構造であり、ケーブル接続部カバーは、その開口端が上記つば状部に当接する構造である、構成となっている。
【００１６】
このような構成、構造とすることにより、ケーブル接続部カバーの、開口部分が、コネクタ本体の外部導体シェルをその周囲から挟持し、またつば状部に当接するので、その間に隙間がなくなって、同軸ケーブル接続状態におけるコネクタ本体とケーブル接続部カバーとの間のがたつきがなくなり、その接続、組立状態が安定して、接続性能及びシールド性能の向上をはかることができ、また、ケーブル接続部カバーの開口端部分で外部導体シェルを保持して組立作業が行えるので、組立作業も容易にすることができるようになる。
【００１７】
【実施例】
次に本発明の実施例について図面を参照して説明する。
図１は本発明の一実施例の、組立前の部分断面側面図、図２は組立後の部分断面側面図である。
この実施例は、そのコネクタ本体１００が前述の従来例と同様であるのに対し、そのケーブル接続部カバー２００が従来例のもの（２００ｘ）とは相違しており、その詳細は次のとおりである。
【００１８】
この実施例のケーブル接続部カバー２００は、主として、コネクタ本体１００の、ソルダウインドー１２１の周囲を覆うソルダウインドーカバー部２１０と、同軸ケーブル５００の外部導体５２０が接続されている外部導体接続部１２２の周囲を覆う外部導体接続カバー部２２０と、を含み、同軸ケーブル５００が接続されている部分全体を段差のある略円筒状に包囲する点では従来例（２００ｘ）と類似しているが、そのソルダウインドーカバー部２１０が、その前方の開口部分、すなわち、相手方コネクタとの嵌合、接続側に向く開口端部分に複雑箇所（この実施例では２箇所、また、４箇所であってもよい）、長手方向に設定寸法だけ伸びるすり割り状のスリット２１１を形成し、これらスリット２１１形成部分を、その長手方向と直交する断面積が、上記開口端に近づく程小さくなるように曲げ加工して成る構造、形状となっていて、この開口端部分が、コネクタ本体１００の外部導体シェル１２０をその周囲から弾性挟持し、更に、この開口端が、外部導体シェル１２０のつば状部１２３に当接するようになっている点で、従来例と異なっている。
本実施例では、スリット２１１の形成部分を、開口端に近づく程小さくなるように曲げ加工により形成したが、カバー２００を切削等で製作する場合には、曲げ加工によらず、最初から径が小さくなるように形成しておいても良い。
【００１９】
このような構造、形状、構成とすることにより、コネクタ本体１００の外部導体シェル１２０とケーブル接続部カバー２００の、相手方コネクタとの嵌合、接続側に向く開口端部分との間に隙間が無く（ｄ１寸法ゼロ）、また、この開口端と外部導体シェル１２０のつば状部１２３との間にも隙間がない（ｄ２寸法ゼロ）ので、同軸ケーブル接続状態におけるコネクタ本体１００とケーブル接続部カバー２００との間のがたつきがなくなり、その接続状態、及び組立状態を安定に保持することができ、接続性能及びシールド性能を向上させることができ、また、この開口端部分でコネクタ本体１００の外部導体シェル１２０を保持して組立作業が実施できるので、組立作業が容易になる、という効果がある。
【００２０】
なお、この実施例では、上記開口端部分がつば状部１２３に当接する構造、形状としたが、この開口端部分で外部導体シェル１２０を十分、安定して挟持し組立状態を十分、安定して保持することができれば、これらの間に多少の隙間があっても良い。
【００２１】
【発明の効果】
以上説明したように本発明は、ケーブル接続部カバーを、その相手方コネクタとの嵌合、接続側に向く開口端部分が、コネクタ本体の外部導体シェルを、その周囲から弾性挟持する構造、形状とすることにより、コネクタ本体とケーブル接続部カバーとの間にがたつきが無くなり、その接続状態及び組立状態を安定に保持することができて接続性能及びシールド性能の向上をはかることができ、かつ、ケーブル接続部の上記開口端部分で外部導体シェルを保持して組立作業を行うことができるので、組立作業も容易に行うことができる、という効果があり、コネクタ本体の外部導体シェルにつば状部が形成されている場合、このつば状部に、ケーブル接続部カバーの上記開口端が当接する構造とすることにより、接続状態及び組立状態を、より一層安定して保持することができる、という効果がある。
【図面の簡単な説明】
【図１】本発明の一実施例を示す組立前の部分断面側面図である。
【図２】図１に示された実施例の組立後の部分断面側面図である。
【図３】従来の同軸コネクタの一例を示す組立前の部分断面側面図である。
【図４】図３に示された同軸コネクタの組立後の部分断面側面図である。
【符号の説明】
１００  コネクタ本体
１１０  中心コンタクト
１１１  中心導体半田付接続部
１２０  外部導体シェル
１２１  ソルダウインドー
１２２  外部導体接続部
１２３  つば状部
１３０  インシュレータ
１４０  嵌合接続部
１５０  同軸ケーブル接続部
２００，２００ｘ  ケーブル接続部カバー
２１０，２１０ｘ  ソルダウインドーカバー部
２１１  スリット
２２０  外部導体接続カバー部
５００  同軸ケーブル
５１０  中心導体
５２０  外部導体
【図１】
2004186057.tif 000003
【図２】
2004186057.tif 000004
【図３】
2004186057.tif 000005
【図４】
2004186057.tif 000006